(57)【要約】      （修正有）【課題】駆動力を向上する。【解決手段】振動モーター１は、固定部材及び振動部材１２を備え、固定部材及び振動部材の一方は、コイル１４を含み、他方は、第１の磁石鋼セット１２１及び第２の磁石鋼セット１２２を含み、それぞれコイルの両側に設けられ、且つコイルに対向して設けられる。これにより第１の磁石鋼セット及び第２の磁石鋼セットによって形成される磁界が閉ループに形成され、第１の磁石鋼セットは、間隔を置いて設けられている第１の左の磁石鋼１２１１及び第１の右の磁石鋼１２１３を含み、第２の磁石鋼セットは、間隔を置いて設けられている第２の左の磁石鋼１２２１及び第２の右の磁石鋼１２２３を含む。振動モーターは、２セットの磁石鋼をそれぞれコイルの両側に平行に設置し、２セットの磁石鋼が互いに作用することによって、磁界が閉ループに形成されて、コイルが磁界の内部に位置することに相当し、コイルが受けた磁界の強度は増大する。【選択図】図２
2018068109.tif 000002
【特許請求の範囲】
【請求項１】
固定部材及び振動部材を備える振動モーターであって、前記固定部材は、収納空間を有するハウジングを含み、前記振動モーターは、弾性コネクターをさらに含み、前記弾性コネクターによって前記振動部材がサスペンションで収納空間内に支持され、前記固定部材は、コイルを含み、前記振動部材は、第１の磁石鋼セット及び第２の磁石鋼セットを含み、前記第１の磁石鋼セット及び前記第２の磁石鋼セットは、それぞれ前記コイルの両側に設けられ、且つ前記コイルに対向して設けられることにより前記第１の磁石鋼セット及び第２の磁石鋼セットによって形成される磁界が閉ループに形成され、前記第１の磁石鋼セットは、間隔を置いて設けられている第１の左の磁石鋼及び第１の右の磁石鋼を含み、前記第２の磁石鋼セットは、間隔を置いて設けられている第２の左の磁石鋼及び第２の右の磁石鋼を含み、
前記振動部材は、第１の質量ブロック及び第２の質量ブロックを含み、前記第１の質量ブロックには凹溝があり、前記凹溝は底部及び前記底部の両側から延在している側壁を有し、前記凹溝の底部に間隔を置いて設けられている平行な二つの第１の貫通孔が開設され、前記第１の左の磁石鋼及び第１の右の磁石鋼は、それぞれ前記第１の貫通孔内に設けられ、
前記第２の質量ブロックは、前記凹溝の二つの前記側壁の間に係合され、前記凹溝の底部とは一定の距離を置いて、且つ間隔を置いて設けられている平行な二つの第２の貫通孔を有し、前記第２の左の磁石鋼及び第２の右の磁石鋼は、それぞれ前記第２の貫通孔内に設けられ、前記弾性コネクターの一端は前記ケーシングに固定接続され、他端は前記第１の質量ブロックに接続される、
ことを特徴とする振動モーター。
【請求項２】
前記第１の左の磁石鋼及び前記第１の右の磁石鋼の磁極方向は逆であり、且つ前記コイルに平行し、前記第２の左の磁石鋼及び前記第２の右の磁石鋼の磁極方向は逆であり、且つ前記コイルに平行し、
前記第１の左の磁石鋼及び前記第２の左の磁石鋼の磁極方向は同様であり、且つ前記コイルに直交し、前記第１の右の磁石鋼及び前記第２の右の磁石鋼の磁極方向は同様であり、且つ前記コイルに直交している、ことを特徴とする請求項１に記載の振動モーター。
【請求項３】
前記振動部材は、第１の極コア及び第２の極コアをさらに備え、前記第１の極コアは、前記凹溝の底面における前記第２の質量ブロックから離れた面に貼り付けられ、前記第２の極コアは、前記第２の質量ブロックにおける前記凹溝の底面から離れた面に貼り付けられていることを特徴とする請求項１に記載の振動モーター。
【請求項４】
前記固定部材は、前記ハウジング内に固定に設けられているコイル架台を含み、前記コイル架台は、前記コイルを支持するための支持部と、前記支持部から屈曲して延在していると共に前記ハウジングに接続されているマウントとを含み、前記支持部は、前記第１の質量ブロックと第２の質量ブロックとの間に位置していることを特徴とする請求項１に記載の振動モーター。
【請求項５】
当該振動モーターは、減衰部品をさらに備え、前記減衰部品は、前記第１の質量ブロックに接続され、且つ前記第１の質量ブロックと前記弾性コネクターとの間に位置していることを特徴とする請求項１に記載の振動モーター。
【請求項６】
当該振動モーターは、フレキシブル回路基板をさらに備え、前記フレキシブル回路基板は前記コイルに電気的に接続されることを特徴とする請求項１に記載の振動モーター。
【発明の詳細な説明】
【技術分野】
【０００１】
本発明は振動モーターに関する技術であり、特に携帯型の消耗性電子製品に適用可能な振動モーターに関する。
【背景技術】
【０００２】
電子技術の発展に伴い、携帯型の消耗性電子製品、例えば、携帯電話、携帯ゲーム機、ナビゲーション装置又は携帯型マルチメディア娯楽設備などは、ますます人々から好まれるようになる。これらの電子製品では、例えば携帯電話の着信提示、情報提示、ナビ提示、ゲーム機の振動フィードバックなどのようなシステムフィードバックとして、振動モーターが通常に用いられている。
【０００３】
従来技術に係わる振動モーターは、構成から見ると、磁石鋼がコイルの一側に位置するため、動作するとき、磁界が発散し、片側の磁界強度が弱く、製品の駆動力が不足になってしまう。
【発明の概要】
【発明が解決しようとする課題】
【０００４】
上述振動モーターでは片側の磁界の強度が弱く、製品の駆動力が不足という技術問題に鑑みて、本発明は振動モーターを提供する。
【課題を解決するための手段】
【０００５】
本発明に係わる振動モーターは、固定部材及び振動部材を備え、前記固定部材は、収納空間を有するハウジングを含み、前記振動モーターは、弾性コネクターをさらに含み、前記弾性コネクターによって前記振動部材を片持ちで収納空間内に支持し、前記固定部材及び振動部材の一方は、コイルを含み、前記固定部材及び振動部材の他方は、第１の磁石鋼セット及び第２の磁石鋼セットを含み、前記第１の磁石鋼セット及び前記第２の磁石鋼セットは、それぞれ前記コイルの両側に設けられ、且つ前記コイルに対向して設けられることにより前記第１の磁石鋼セット及び第２の磁石鋼セットによって形成される磁界が閉ループに形成され、前記第１の磁石鋼セットは、間隔を置いて設けられている第１の左の磁石鋼及び第１の右の磁石鋼を含み、前記第２の磁石鋼セットは、間隔を置いて設けられている第２の左の磁石鋼及び第２の右の磁石鋼を含む。
【０００６】
本発明の好ましい実施例において、前記第１の左の磁石鋼及び前記第１の右の磁石鋼の磁極方向は逆であり、且つ前記コイルに平行し、前記第２の左の磁石鋼及び前記第２の右の磁石鋼の磁極方向は逆であり、且つ前記コイルに平行し、
前記第１の左の磁石鋼及び前記第２の左の磁石鋼の磁極方向は同様であり、且つ前記コイルに直交し、前記第１の右の磁石鋼及び前記第２の右の磁石鋼の磁極方向は同様であり、且つ前記コイルに直交している。
【０００７】
本発明の好ましい実施例において、前記振動部材は、第１の質量ブロック及び第２の質量ブロックを含み、前記第１の質量ブロックには凹溝があり、前記凹溝は底部及び前記底部の両側から延在している側壁を有し、前記凹溝の底部に間隔を置いて設けられている平行な二つの第１の貫通孔が開設され、前記第１の左の磁石鋼及び第１の右の磁石鋼は、それぞれ前記第１の貫通孔内に設けられ、
前記第２の質量ブロックは、前記凹溝の二つの前記側壁の間に係合され、前記第２の質量ブロックと前記凹溝の底部とは一定の距離を有し、且つ間隔を置いて設けられている平行な二つの第２の貫通孔を有し、前記第２の左の磁石鋼及び第２の右の磁石鋼は、それぞれ前記第２の貫通孔内に設けられ、前記弾性コネクターの一端は前記ケーシングに固定接続され、他端は前記第１の質量ブロックに接続される。
【０００８】
本発明の好ましい実施例において、前記第１の質量ブロック及び第２の質量ブロックは一体成形されている。
【０００９】
本発明の好ましい実施例において、前記振動部材は、第１の極コア及び第２の極コアをさらに備え、前記第１の極コアは、前記凹溝の底面における前記第２の質量ブロックから離れた面に貼り付けられ、前記第２の極コアは、前記第２の質量ブロックにおける前記凹溝の底面から離れた面に貼り付けられている。
【００１０】
本発明の好ましい実施例において、前記固定部材は、前記ハウジング内に固定に設けられているコイル架台を含み、前記コイル架台は、前記コイルを支持するための支持部と、前記支持部から屈曲して延在していると共に前記ハウジングに接続されているマウントとを含み、前記支持部は、前記第１の質量ブロックと第２の質量ブロックとの間に位置している。
【００１１】
本発明の好ましい実施例において、当該振動モーターは、減衰部品をさらに備え、前記減衰部品は、前記第１の質量ブロックに接続され、且つ前記第１の質量ブロックと前記弾性コネクターとの間に位置している。
【００１２】
本発明の好ましい実施例において、当該振動モーターは、フレキシブル回路基板をさらに備え、前記フレキシブル回路基板は前記コイルに電気的に接続される。
【００１３】
本発明に係わる振動モーターでは、２セットの磁石鋼をそれぞれコイルの両側に平行に設置し、２セットの磁石鋼が互いに作用することによって、磁界が閉ループに形成されて、コイルが磁界の内部に位置することに相当する。当該構成により、コイルが受けた磁界の強度は増大し、製品の駆動力が向上した。
【００１４】
本発明の実施例の技術案をより明確に説明するために、以下は実施例の説明に必要な図面について簡単に紹介する。明らかに、以下に説明される図面は、本発明の幾つかの実施例に過ぎなく、当業者によっては、進歩性に値する労働をしないことを前提にして、これらの図面からその他の図面を想到することができる。
【図面の簡単な説明】
【００１５】
【図１】本発明の実施例による振動モーターの斜視構造を示す模式図である。
【図２】図１に示される振動モーターの斜視分解図である。
【図３】図１に示される振動モーターのカバーが取り外された平面図である。
【図４】図１に示される振動モーターにおける磁石鋼の磁極方向の動作原理図である。
【発明を実施するための形態】
【００１６】
以下、本発明の実施例における技術案について詳しく完璧に説明する。もちろん、以下に説明される実施例は本発明の一部の実施例に過ぎなく、全部の実施例ではない。本発明における実施例に基づいて、当業者が、進歩性に値する労働をしないことを前提として得られた全ての他の実施例は、全て本発明の保護範囲に含まれる。
【００１７】
図１、図２及び図３を参照しながら本発明による振動モーターを説明する。図１は、本考案に提供される振動モーターの実施例の斜視構造を示す模式図であり、図２は、図１に示される振動モーターの斜視分解図であり、図３は、図１に示される振動モーターのカバーが取り外された平面図である。振動モーター１は、固定部材１１及び振動部材１２を備え、固定部材１１は、収納空間を有するハウジング１１１を備え、ハウジング１１１は、上カバー１１５及びハウジング１１６を含み、上カバ１１５ーとハウジング１１６とで収納空間を囲んで形成する。振動モーター１は、弾性コネクター１３をさらに備え、弾性コネクター１３によって、振動部材１２を片持ちで収納空間内に支持する。
【００１８】
振動部材１２は、第１の質量ブロック１２３と、第１の質量ブロック１２３内に収納される第１の磁石鋼セット１２１と、第２の質量ブロック１２４と、第２の質量ブロック１２４内に収納される第２の磁石鋼セット１２２と、第１の質量ブロック１２３に接続される第１の極コア１２５と、第２の質量ブロック１２４に接続される第２の極コア１２６とを備える。第１の磁石鋼セット１２１は、間隔を置いて設けられている第１の左の磁石鋼１２１１及び第１の右の磁石鋼１２１３を含み、  第１の左の磁石鋼１２１１は、第１の右の磁石鋼１２１３の磁極方向と逆である。第２の磁石鋼セット１２２は、間隔を置いて設けられている第２の左の磁石鋼１２２１及び第２の右の磁石鋼１２２３を含み、第２の左の磁石鋼１２２１と、第２の右の磁石鋼１２２３とは、磁極方向が逆である。
【００１９】
第１の質量ブロック１２３には、凹溝１２３１があり、凹溝１２３１は、底部１２３１３及び底部の両側から延在している側壁１２３１５を有し、凹溝１２３１の底部に間隔を置いて設けられている平行な第１の貫通孔１２３１１が開口され、第１の左の磁石鋼１２１１及び第２の右の磁石鋼１２１３はそれぞれ二つの第１の貫通孔１２３１１内に設けられ、第１の極コア１２５は、凹溝１２３１の底面における第２の質量ブロック１２４から離れた面に貼り付けられる。第２の質量ブロック１２４は、凹溝１３２１の両側壁１２３１５の間に係合され、第２の質量ブロック１２４と凹溝１２３１の底部とは一定の距離を有し、且つ間隔を置いて並行に設けられている二つの第２の貫通孔１２４１を有し、第２の極コア１２６は、第２の質量ブロック１２４における凹溝１２３１の底面から離れた表面に貼り付けられ、第２の左の磁石鋼セット１２２１及び第２の右の磁石鋼１２２３は、それぞれ第２の貫通孔１２４１内に設けられる。弾性コネクター１３の一端はケーシング１１１に固定接続され、他端は、第１の質量ブロック１２３に接続される。より詳しくは、第１の質量ブロック１２３と第２の質量ブロック１２４は一体成形している。
【００２０】
固定部材１１は、ケーシング１１１内に固定的に設けられているコイル架台１１２を含み、コイル架台１１２は、コイル１４を支持するための支持部１１３と、支持部１１３から屈曲して延在していると共に、ハウジング１１６に接続されているマウント１１４を含み、支持部１１３は、第１の質量ブロック１２３と第２の質量ブロック１２４との間に位置している。
【００２１】
第１の磁石鋼セット１２１及び第２の磁石鋼セット１２２は、それぞれコイル１４の両側に設けられ、且つコイル１４に対向して設けられる。これにより、第１の磁石鋼セット１２１と第２の磁石鋼セット１２２とによって形成される磁界が閉ループに形成される。
【００２２】
第１の左の磁石鋼１２１１と第２の左の磁石鋼１２２１の磁極方向は同じであり、且つコイル１４に直交しているが、第１の右の磁石鋼１２１３と第２の右の磁石鋼１２２３の磁極方向は同じであり、且つコイル１４に直交している。
【００２３】
第１の左の磁石鋼１２１１及び第１の右の磁石鋼１２１３は、それぞれ第２の左の磁石鋼１２２１及び第２の右の磁石鋼１２２３に対向している。
【００２４】
当該振動モーター１は、減衰部品１６及びフレキシブル回路基板１７をさらに備え、減衰部品１６は、第１の質量ブロック１２３に接続され、且つ第１の質量ブロック１２３と弾性コネクター１３との間に位置し、フレキシブル回路基板１７はコイル１４に電気的に接続される。
【００２５】
図４を参照すると、これは図１に示される振動モーターにおける磁石鋼の磁極方向の動作原理図である。本実施例において、第１の左の磁石鋼１２１１の磁極方向は、コイル１４に対してはＳ極からＮ極までであり、第１の右の磁石鋼１２１３の磁極方向は、コイル１４に対してＮ極からＳ極までであるが、第２の左の磁石鋼１２２１の磁極方向は、コイル１４に対してはＮ極からＳ極までであり、第２の右の磁石鋼１２２３の磁極方向は、コイル１４に対してはＳ極からＮ極までであり、第１の左の磁石鋼１２１１と第１の右の磁石鋼１２１３、および第２の右の磁石鋼１２２３と第２の左の磁石鋼１２２１とは、互に作用して、磁界が閉ループに形成される。
【００２６】
振動モーター１が動作するとき、フレキシブル回路基板１７を介してコイル１４に通電して磁界を発生させるため、第１の磁石鋼セット１２１及び第２の磁石鋼セット１２２は引力を受ける。電流の方向は時間とともに変化するため、第１の磁石鋼セット１２１及び第２の磁石鋼セット１２２が引力を受ける方向も変化する。それにより、弾性コネクター１３の支持により往復に移動するように第１の磁石鋼セット１２１、第２の磁石鋼セット１２２、第１の質量ブロック１２３及び第２の質量ブロック１２４を駆動する。
【００２７】
以上から分かるように、本発明に提供される振動モーター及びその取り付け方法において、２セットの磁石鋼をそれぞれコイルの両側に平行に設置し、２セットの磁石鋼が互いに作用して、磁界が閉ループに形成されて、コイルが磁界の内部に位置することに相当する。当該構成によって、コイルが受けた磁界の強度は増大し、製品の駆動力が向上した。
【００２８】
上述説明したのは、本発明の実施形態に過ぎず、本発明の特許請求の範囲を限定するものではない。本発明の明細書及び図面の内容に基づいて作れる等価構成又は等価工程変換、あるいは他の関連技術分野における直接又は間接運用は、全て同様に本発明の特許請求の範囲内に含まれる。
【図１】
2018068109.tif 000003
【図２】
2018068109.tif 000004
【図３】
2018068109.tif 000005
【図４】
2018068109.tif 000006